(57)【要約】【課題】照光可能な操作キーを備えたビデオカメラレコーダーにおいて、使用者が操作キーを必要とする時のみ操作キーの照光を行なうことで操作を容易にし、かつ省電効果を得ることを目的とする。【解決手段】１．トリガーキーの動作に連動して操作キーが照光する構成。２．撮影状態を視認する液晶表示部とファインダー表示部が選択的に使用され、そのうち液晶表示部使用の時のみ操作キーが照光する構成。３．操作キー近傍に照度検出手段が配され、この検出値がある一定値以下の場合、操作キーの押圧動作に応じて操作キーが照光する構成。【選択図】　　　　図１
2004015197.tif 000002
【特許請求の範囲】
【請求項１】
照光可能な操作キーを備えたビデオカメラレコーダーにおいて、撮影を開始するトリガーキーの動作に連動して、操作キーが照光することを特徴とするビデオカメラレコーダー。
【請求項２】
特許請求第１項のビデオカメラレコーダーにおいて、操作キーは撮影に使用するキーであることを特徴とするビデオカメラレコーダー。
【請求項３】
照光可能な操作キーと撮像状態又は再生状態が直接視認可能な液晶表示部及び接眼レンズを介して表示部が視認可能なファインダー表示部を備えたビデオカメラレコーダーにおいて、液晶表示部とファインダー表示部は選択的に使用され、液晶表示部が使用される時のみ操作キーが照光可能であることを特徴とするビデオカメラレコーダー。
【請求項４】
照光可能な操作キーを備えたビデオカメラレコーダーにおいて、操作キー近傍には照度検出手段が配され、その検出手段値がある一定の値以下の時に操作キーの操作が行なわれると前出操作キーが照光することを特徴とするビデオカメラレコーダー。
【発明の詳細な説明】
【０００１】
【発明の属する技術分野】
本発明は照光可能な操作キーを備えたビデオカメラレコーダーに関するものである。
【０００２】
【従来の技術】
従来ビデオカメラレコーダーに照光可能な操作キーを備えることで、照度の低い場所でも操作キーの種類の判別が可能となっていた。しかし、照光可能な操作キーはそれ自体電力を消費するので省電の上からも照光の入／切を行なう操作キーの操作が必要であった。
【０００３】
【発明が解決しようとする課題】
しかし使用者が操作キーの照光が必要か不必要かを判断して照光の入／切を行なう操作キーを操作するのは使用者にわずらわしい行為を求めるものである。
本発明の目的はこのような欠点を解決する為のものであり、使用者が操作キーを必要とする時のみ操作キーの照光を行なうことで使用者に対し操作を容易にさせ、又、省電効果を得ることができるものである。
【０００４】
【課題を解決するための手段】
上記目的を達成する為に
本発明の請求項第１項では、照光可能な操作キーを備えたビデオカメラレコーダーにおいて、撮影を開始するトリガーキーの動作に連動して操作キーが照光することを特徴としており、これは撮影時のみ操作キーが照光することを表す。
【０００５】
請求項第２項では、その操作キーは撮影に使用するキーとする。
【０００６】
請求項第３項では、照光可能な操作キーと撮像状態又は再生状態が直接視認可能な液晶表示部及び接眼レンズを介して表示部が視認可能なファインダー表示部を備えたビデオカメラレコーダーにおいて、液晶表示部とファインダー表示部は選択的に使用され、液晶表示部が使用される時のみ操作キーが照光可能であることを特徴とする。
【０００７】
請求項第４項では、照光可能な操作キーを備えたビデオカメラレコーダーにおいて、操作キー近傍には照度検出手段が配され、その検出手段値がある一定の値以下の時に操作キーの操作が行なわれると前出操作キーが照光することを特徴とする。
【０００８】
【発明の実施の形態】
以下本発明の実施の形態を図を用いて説明する。
【０００９】
（実施例）
（第１の実施例）
図１は本発明のビデオカメラレコーダーを側面から見た図であり、この図において１はビデオカメラレコーダー本体、１ａは本体上に配される操作キー、１ｂはＬＣＤ表示パネル、１ｃは液晶ファインダーである。また２は本体に電源を供給する為のバッテリーである。
【００１０】
図２は本発明のビデオカメラレコーダーを背面から見た図であり、この図において１ｄは電源モードキー、１ｅはトリガーキーである。
【００１１】
次に構成を説明する。
【００１２】
ビデオカメラレコーダー１には被写体を撮影し記録する為のレンズ、撮像素子、レコーダー（以上不図示）と撮影又は再生映像を表示する為のＬＣＤ表示パネル１ｂ、液晶ファインダー１ｃ、電源ｏｎ／ｏｆｆとｏｎ時に撮影、再生モードを切り換える為の電源モードキー１ｄ及びトリガーキー１ｅがレイアウトされている。
【００１３】
またバッテリー２はビデオカメラレコーダー１に電源を供給する為に電気接点を備えており、ビデオカメラレコーダー１にもバッテリー装着部の所定位置に、バッテリー２が装着されると接触導電が可能なように、電気接点が備えられている。
【００１４】
ビデオカメラレコーダーのモードは撮影モード、再生モードの２つに分かれていて、図２に示すように電源キー１ｄの操作で各モードの切り換えが行なわれる。操作キー１ａは撮影モードでは例えばＡＦｏｎ／ｏｆｆ、ＡＥｏｎ／ｏｆｆ、手振れｏｎ／ｏｆｆ、デートｏｎ／ｏｆｆ、エフェクトｏｎ／ｏｆｆ、再生モードではＳＴＯＰ、ＰＬＡＹ、ＦＦ、ＲＷＤ、ＰＡＵＳＥの各機能が割り当てられており、操作キー自体は照光ＬＥＤにより点灯可能となっている。
【００１５】
図３はこの照光キーの構造を表すＡ−Ａ断面図であり、図４はＢ−Ｂ断面図である。
【００１６】
１ａは操作キー、１１はタクトＳＷ、１２は照光の為のＬＥＤ、１３はタクトＳＷ、ＬＥＤなどが実装される基板である。
【００１７】
タクトＳＷ１１、ＬＥＤ１２は操作キーの数と同じ数が、操作キー位置に対応した位置で基板１３上に実装されている。また操作キー１ａは光を拡散する材質で作られており、ＬＥＤ１２の光を受けて各操作キー全体を均一に光らせることができる。
【００１８】
図５はこの時の電気ブロック構成図、図６はこの時のフローチャートを示す。
【００１９】
撮影モード時、レンズからの光学像は不図示の撮像素子で光電変換され、映像信号処理回路へ送られる。ここでビデオ信号が生成されて、この信号はレコーダーへの信号記録回路やＬＣＤ表示パネル、液晶ファインダーの表示の為に出力される。トリガーキーｏｎ後照光ＬＥＤが点灯するが、この時タイマーが働きトリガーｏｎ後の時間経過がカウントされ、ある一定時間後にはＬＥＤは消灯する。使用者は操作キーが照光される事で暗い環境下でも操作キーの配置場所、種類を認識することができる。一方、操作キーが操作されるとマイクロコンピューターは操作キーの指示、例えばＡＦｏｎ，ＡＥｏｎという命令に対してそのプログラム結果を映像信号処理回路に与えるので所定の映像を得ることができる。
【００２０】
再生モード時、レコーダーから信号再生回路を経たビデオ信号はＬＣＤ表示パネル、液晶ファインダーの表示に使用される。このモードのときＬＥＤは点灯しない。そして、操作キーの指示によりマイクロコンピューターはＰＬＡＹ、ＦＦ等の制御をレコーダーに与え、レコーダーは所定の動作を行なう。
【００２１】
このように撮影モード時において、トリガーキーｏｎ後、操作キーの照光ＬＥＤがある一定時間点灯することで、撮影環境が暗い場所でもそれらの配置場所、種類が認知できるようになる。また、照光ＬＥＤ点灯を撮影モードに限ったことで省電の効果も期待できる。
【００２２】
（第２の実施例）
構成は第１の実施例内の図１〜図５と同様であり、操作キー１ａは照光可能である。
【００２３】
図７にフローチャートを、図８に撮影状態の視認手段として液晶表示部を選択した際のビデオカメラレコーダーを背面から見た図を示す。
【００２４】
撮影状態を視認する方法は液晶表示部とファインダー表示部のどちらかが選択可能である。表示手段として液晶表示部を選択した場合、タイマーがカウントを行ない始め、ＬＥＤはある一定時間点灯する。この結果、操作キーが照光されるので操作キーの識別がしやすくなる。また、表示手段としてファインダー表示手段を選択した場合、使用者が操作キーの種類を直接見て操作する頻度が少ないことから照光ＬＥＤは点灯しない。
【００２５】
このように照光ＬＥＤが適切なモードでのみ点灯することで、省電効果が得られる。
【００２６】
（第３の実施例）
構成は第１の実施例内の図２〜図５と同様であり、操作キー１ａは照光可能である。
【００２７】
図９にフローチャートを示す。
【００２８】
また図１０に示すようにビデオカメラレコーダー本体に照度検出手段１ｆが設けられていて、この検出値ａがある規定値Ａよりも少なければ（ａ＜Ａ）、撮影モード時キー操作の動作に応じてタイマーが働き初め、照光ＬＥＤが一定時間点灯する。一方、検出値ａがＡ以上であれば（ａ≧Ａ）照光ＬＥＤは点灯しない。
【００２９】
このように暗い使用環境で操作キーが使用される場合のみ照光ＬＥＤが点灯するので、省電効果が期待できる。
【００３０】
【発明の効果】
以上説明したように、本発明によれば、照光可能な操作キーを備えたビデオカメラレコーダーにおいて、撮影を開始するトリガーキーの動作に連動して、操作キーが照光すること及びその操作キーが撮影に使用するキーであることで撮影環境が暗い場所でも操作キーの配置場所、種類が認知できかつ省電の効果がある。
【００３１】
また、照光可能な操作キーと撮像状態又は再生状態が直接視認可能な液晶表示部及び接眼レンズを介して表示部が視認可能なファインダー表示部を備えたビデオカメラレコーダーにおいて、液晶表示部とファインダー表示部は選択的に使用され、液晶表示部が使用される時のみ操作キーが照光可能であることで使用環境が暗い場所でも操作キーの配置場所、種類が認知できかつ省電の効果がある。
【００３２】
また、照光可能な操作キーを備えたビデオカメラレコーダーにおいて、操作キー近傍には照度検出手段が配され、その検出手段値がある一定の値以下の時に操作キーの操作が行なわれると前出操作キーが照光する。このことで暗い使用環境での操作キーの識別と省電の効果がある。
【図面の簡単な説明】
【図１】本発明の第１の実施形態におけるビデオカメラレコーダーの側面図。
【図２】本発明の第１の実施形態におけるビデオカメラレコーダーの背面図。
【図３】本発明の第１の実施形態における操作キーの構造を表すＡ―Ａ断面図。
【図４】本発明の第１の実施形態における操作キーの構造を表すＢ―Ｂ断面図。
【図５】本発明の第１の実施形態における電気ブロック構成図。
【図６】本発明の第１の実施形態におけるフローチャート。
【図７】本発明の第２の実施形態におけるフローチャート。
【図８】本発明の第２の実施形態におけるビデオカメラレコーダーの背面図。
【図９】本発明の第３の実施形態におけるフローチャート。
【図１０】本発明の第３の実施形態におけるビデオカメラレコーダーの側面図。
【符号の説明】
１　ビデオカメラレコーダー
１ａ　操作キー
１ｂ　ＬＣＤ表示パネル
１ｃ　液晶ファインダー
１ｄ　電源モードキー
１ｅ　トリガーキー
１ｆ　照度検出手段
１１　タクトＳＷ
１２　ＬＥＤ
１３　基板
２　バッテリー
【図１】
2004015197.tif 000003
【図２】
2004015197.tif 000004
【図３】
2004015197.tif 000005
【図４】
2004015197.tif 000006
【図５】
2004015197.tif 000007
【図６】
2004015197.tif 000008
【図７】
2004015197.tif 000009
【図８】
2004015197.tif 000010
【図９】
2004015197.tif 000011
【図１０】
2004015197.tif 000012